(57)【特許請求の範囲】
【請求項１】
入力信号の増幅率を自動制御するようにした自動利得制御手段を有すると共に前記入力信号の増幅率を手動設定する増幅率手動設定手段を有する信号レベル制御装置において、
前記手動設定による増幅率の設定値の変化を検出し、前記設定値が変化しているときは手動による設定動作であると判断して、前記自動利得制御手段を不動作とし、前記設定値が一定時間変化しないときは手動による設定動作が終了であると判断して、前記自動利得制御手段の動作を再開するようにすることを特徴とする信号レベル制御装置。
【請求項２】
入力信号の増幅率を自動制御するようにした自動利得制御と前記入力信号の増幅率を手動で設定する信号レベル制御方法において、
前記手動設定による増幅率の設定値の変化を検出し、前記設定値が変化しているときは手動による設定動作であると判断して、前記自動利得制御ステップを不動作とし、前記設定値が一定時間変化しないときは手動による設定動作が終了であると判断して、前記自動利得制御ステップの動作を再開するようにすることを特徴とする信号レベル制御方法。
【請求項３】
入力信号の増幅率を設定する増幅率設定手段を有すると共に該増幅率設定手段の出力信号が最大許容レベルを越えたことを検出する最大許容レベル検出手段を有する信号レベル制御装置において、
前記最大許容レベル検出手段により前記最大許容レベルを越えたことを検出したときに、前記増幅率設定手段により前記入力信号の増幅率を前記最大許容レベル検出手段の検出レベルが最大許容レベル以下となるまで所定時間毎に所定の割合で前記増幅率を漸近的に減少するようにしたことを特徴とする信号レベル制御装置。
【請求項４】
請求項３記載の信号レベル制御装置において、
前記増幅率を減少する所定時間は１標本時間であることを特徴とする信号レベル制御装置。
【発明の詳細な説明】
【０００１】
【発明の属する技術分野】
本発明は信号処理機器、信号伝送機器及び信号記録再生機器等に使用して好適な信号レベル制御装置及び方法に関する。
【０００２】
【従来の技術及び発明が解決しようとする課題】
一般に信号処理機器、信号伝送機器及び信号記録再生機器等においては、入力信号の増幅率を設定するのに手動のボリュームにより行ったり、自動利得制御回路により行っていた。
【０００３】
従来は入力信号を手動のボリュームで設定した増幅率で増幅した信号を出力信号とするか、入力信号を自動利得制御回路を介して得た信号を出力信号とするかは、動作モード設定により選択する如くしていた。
【０００４】
この手動により増幅率の設定は、設定操作時の信号レベルを操作者がメーター等でモニターし、最適であろうと予測した値に固定するものであり、一方自動利得制御回路による増幅率の自動制御は出力の信号レベルが一定の範囲になるように自動的に制御するものである。
【０００５】
そこで、この手動による増幅率の設定値を自動制御回路の自動制御の目標値（基準値）等に反映させたり、この手動設定による増幅回路と自動制御による増幅回路とを協調動作させたい場合には、先ず手動設定動作モードを選択する操作を行って、この手動により所望の増幅率を設定する。
【０００６】
次に自動制御動作モードを選択する操作を行い、この手動による設定値に合わせて自動制御の目標値（基準値）を設定するという煩雑な操作が必要である不都合があった。
【０００７】
本発明は斯る点に鑑み、手動による増幅率の設定値を容易に自動制御の目標値（基準値）に反映させることができるようにすることを目的とする。
【０００８】
【課題を解決するための手段】
本発明信号レベル制御装置は、入力信号の増幅率を自動制御するようにした自動利得制御手段を有すると共にこの入力信号の増幅率を手動設定する増幅率手動設定手段を有する信号レベル制御装置において、この手動設定による増幅率の設定値の変化を検出し、この設定値が変化しているときは手動による設定動作であると判断して、この自動利得制御手段を不動作とし、この設定値が一定時間変化しないときは手動による設定動作が終了であると判断して、この自動利得制御手段の動作を再開するようにするようにしたものである。
【０００９】
斯る本発明によれば増幅率手動設定手段により手動で増幅率設定を行っているときには自動利得制御手段が不動作となる如くしているので、この自動利得制御手段に関係なく、良好に増幅率設定を行うことができると共にこの手動により設定した増幅率の値をこの自動利得制御手段の目標値（基準値）に反映させることができる。
【００１０】
【発明の実施の形態】
以下図面を参照して、本発明をデジタル録音装置に適用した例につき説明しよう。
図１において、１はデジタル音声信号が供給されるデジタル音声信号入力端子を示し、このデジタル音声信号入力端子１に供給されるデジタル音声信号を増幅率制御手段を構成するマイクロコンピュータより成る増幅率可変機能ブロック２に供給する。
【００１１】
この増幅率可変機能ブロック２は入力されるデジタル音声信号を、増幅率設定信号入力端子に供給される増幅率設定信号に応じて増幅する如くなしたもので、この増幅率可変機能ブロック２の出力側に得られる出力信号をデジタル記録機構３に供給し、このデジタル記録機構３によりこのデジタル音声信号を例えばディスク、テープ等の記録媒体に記録する如くする。
【００１２】
またこの増幅率可変機能ブロック２の出力信号を自動利得制御手段であるマイクロコンピュータより成る自動利得制御フィードバック機能ブロック４に供給する。この自動利得制御フィードバック機能ブロック４は、この出力信号のレベルを検出し、この出力信号のレベルと予め設定した目標値（基準値）とを比較し、その差に応じた自動増幅率制御信号をセレクター５を介して増幅率可変機能ブロック２の増幅率設定信号入力端子に供給する如くする。
【００１３】
また、６は手動による増幅率設定信号が入力される手動増幅率設定信号入力端子を示し、この手動増幅率設定信号入力端子６に供給される増幅率設定信号をセレクター５を介して増幅率可変機能ブロック２の増幅率設定信号入力端子に供給する如くする。
【００１４】
本例においては、この手動増幅率設定信号入力端子６に供給される増幅率設定信号を手動増幅率設定の操作中であるかどうかを検出する手動増幅率設定操作検出器７に供給する。この手動増幅率設定操作検出器７の出力側に得られる切り替え信号によりセレクター５を切り替え、自動利得制御フィードバック機能ブロック４の出力側に得られる自動増幅率制御信号を増幅率可変機能ブロック２の増幅率設定信号入力端子に供給するか、又は手動増幅率設定信号入力端子６に供給される増幅率設定信号をこの増幅率可変機能ブロック２の増幅率設定信号入力端子に供給するかを決定する如くする。
【００１５】
この手動増幅率設定操作検出器７の具体的例を図２〜図４を参照して説明する。この図２例においては、手動増幅率設定信号入力端子６に供給される手動増幅率設定信号を数値レジスタ１０に供給する（図４ステップＳ２０）。本例においては、増幅率設定信号は数値信号とする。
【００１６】
また、この数値レジスタ１０の出力信号をこのシステムの１動作周期間遅延する１動作周期遅延回路１１を介して数値レジスタ１２に供給し、この数値レジスタ１０の出力側に得られる現在の増幅率設定信号（図４ステップＳ２２）と数値レジスタ１２の出力側に得られる１動作周期前の増幅率設定信号（図４ステップＳ２１）とを数値比較器１３に供給する。
【００１７】
この数値比較器１３においては、この１動作周期毎に比較し（図４ステップＳ２３）、この数値レジスタ１０の出力信号と数値レジスタ１２の出力信号とに一定以上の差があるときには１つのパルス信号を出力する如くなす。また数値レジスタ１０の出力信号と数値レジスタ１２の出力信号とが同じときはローレベル信号Ｌを出力する如くする（図４ステップＳ２３）。この数値比較器１３の出力側に得られるパルス信号を例えばリトリガブル１ショットマルチバイブレーターより成る時間ヒステリシス回路１４に供給する（図４ステップＳ２４）。
【００１８】
この場合この時間ヒステリシス回路１４を構成するリトリガブル１ショットマルチバイブレーターの時定数を上述１動作周期よりやや大とし、数値比較器１３より図３に示す如くパルス信号１３ａが供給されている間は、この時間ヒステリシス回路１４の出力端子１４ａにハイレベル信号Ｈを得る如くする。
【００１９】
この時間ヒステリシス回路１４の出力端子１４ａに得られる信号がハイレベル信号Ｈのとき、即ち手動増幅率設定信号入力端子６に供給される増幅率設定信号の設定値が変化しているときはセレクター５により選択され手動増幅率設定信号入力端子６に供給される手動による増幅率設定信号のみが増幅率可変機能ブロック２の増幅率設定信号入力端子に供給される。
【００２０】
従って、この手動増幅率設定の操作時に自動利得制御フィードバック機能ブロック４の自動増幅率制御信号が邪魔することがなく、メータ等を見ながら良好に設定操作をすることができる。
【００２１】
また本例においては、この場合に自動利得制御フィードバック機能ブロック４の目標値（基準値）をこの手動による増幅率設定信号とする如くする。
【００２２】
また時間ヒステリシス回路１４の出力端子１４ａに得られる信号がローレベル信号Ｌのとき即ち手動増幅率設定信号入力端子６に供給される増幅率設定信号の設定値が、このリトリガブル１ショットマルチバイブレーターの時定数時間以上変化しないときは手動による設定操作が終了したと判断し、このセレクター５により、自動利得制御フィードバック機能ブロック４の出力側に得られる自動増幅率制御信号のみを増幅率可変機能ブロック２の増幅率設定信号入力端子に供給し、自動利得制御する如くする。
【００２３】
以下図１の本例の動作につき説明する。
本例によれば、デジタル音声信号入力端子１に供給されるデジタル音声信号を増幅率可変機能ブロック２により所定の増幅を行ってデジタル記録機構３に供給し、このデジタル記録機構３により例えばディスク、テープ等の記録媒体に記録。
【００２４】
この場合、手動で増幅率の設定を行っていないときには自動利得制御フィードバック機能ブロック４よりの自動増幅率制御信号により良好な自動利得制御がなされる。
【００２５】
また本例に於いては手動で増幅率の設定操作を行っているときには、増幅率可変機能ブロック２の増幅率設定信号入力端子に手動による増幅率設定信号のみを供給し、自動利得制御フィードバック機能ブロック４よりの自動増幅率制御信号を供給しない如くしているので、この自動利得制御フィードバック機能ブロック４に関係なく良好に、この手動による増幅率設定を行うことができる。
【００２６】
また本例によれば手動により設定した増幅率設定信号をそのまま自動利得制御フィードバック機能ブロック４の目標値（基準値）として使用するので、手動により設定した増幅率の値を自動利得制御の目標値（基準値）に反映することができる。
【００２７】
図５は本発明の他の実施例を示す。図５につき説明するに、図５において、３０はデジタル音声信号が供給されるデジタル音声信号入力端子を示し、このデジタル音声信号入力端子３０に供給されるデジタル音声信号を増幅率設定手段を構成するマイクロコンピュータより成る利得制御増幅装置３１に供給する。
【００２８】
この利得制御増幅装置３１は後述する最大許容信号レベル検出器３３がこの利得制御増幅装置３１の出力信号のレベルがこのデジタル録音装置の最大許容信号レベル以上であると判断している間所定時間例えば１標本時間毎に所定の割合例えば−０．１ｄｂでこの利得制御増幅装置３１の増幅率を漸近的に減少する如くなしたものである。
【００２９】
この利得制御増幅装置３１の出力側に得られる出力信号をデジタル記録機構３２に供給し、このデジタル記録機構３２によりこのデジタル音声信号を例えばディスク、テープ等の記録媒体に記録する如くする。
【００３０】
また、この利得制御増幅装置３１の出力信号をマイクロコンピュータより成るこのデジタル録音装置の最大許容信号レベル検出器３３に供給する。この最大許容信号レベル検出器３３は例えば１標本時間毎に、例えば図７に示す如く出力信号Ｓのレベルが予め設定された最大許容信号レベル±Ｓｏを越えたかどうかを検出し、この最大許容信号レベル±Ｓｏを越えたときに、検出信号を得、この検出信号を利得制御増幅装置３１に供給する。
【００３１】
このときはこの利得制御増幅装置３１においては増幅率を１標本時間毎に−０．１ｄｂずつ減少し、これをこの出力信号の検出レベルが最大許容信号レベル±Ｓｏ以下となるまで続ける。
【００３２】
この場合利得制御増幅装置３１の増幅率を１標本時間毎に−０．１ｄｂずつ減少することとしたのは音声信号における急激な変化による波形歪み雑音を防止するためである。
【００３３】
この場合、この最大許容信号レベル検出器３３としては、上述例の外に図８に示す如く連続する複数標本における出力信号Ｓのレベルが最大許容信号レベル±Ｓｏを越えたときに出力信号のレベルが最大許容信号レベル±Ｓｏを越えたとして、検出信号を利得制御増幅装置３１に供給するようにしても良い。
【００３４】
また、図９に示す如く、出力信号Ｓのレベルがある時間内の最大許容信号レベル±Ｓｏを越える比率が一定以上であるときに、検出信号を得、これを利得制御増幅装置３１に供給するようにしても良い。
【００３５】
このように最大許容信号レベル±Ｓｏを越えたときに、検出信号を得る条件を変えることにより、図１０Ａに示す如き出力信号Ｓが聴感上有害な連続的に最大許容信号レベル±Ｓｏを越えることによる歪については、増幅率を効果的に減少させて防止する一方、図１０Ｂに示す如く出力信号Ｓが瞬時的に最大許容信号レベル±Ｓｏを越えるものについてはこの出力信号の波形の尖頭部分をクリップすることを許容することによって、より高い信号レベルの録音を実現することができる。
【００３６】
以下図６を参照して図５例の動作につき説明する。
まず利得制御増幅装置３１の増幅率を手動操作等により所定の増幅率にしておく（ステップＳ４０）。この利得制御増幅装置３１の出力信号をデジタル記録機構３２でディスク、テープ等の記録媒体に記録すると共にこの出力信号を最大許容信号レベル検出器３３で１標本時間毎に最大許容信号レベルを越えたかどうかを判断する（ステップＳ４１）。
【００３７】
この出力信号が最大許容信号レベルを越えていないときには、この利得制御増幅装置３１は前の増幅率に保持される（ステップＳ４３）。
【００３８】
また、この出力信号が最大許容信号レベルを越えているときには、この利得制御増幅装置３１の増幅率即ち利得を１標本時間毎に−０．１ｄｂずつ減少し、これをこの出力信号のレベルが、この最大許容信号レベル以下となるまで繰り返し、この出力信号のレベルがこの最大許容信号レベル以下となったときには、この利得制御増幅装置３１はその増幅率を保持する（ステップＳ４３）。
【００３９】
従って本例によれば、より高い信号レベルの録音を実現することができる。
【００４０】
尚、上述実施例においては本発明をデジタル録音装置に適用した例につき述べたが本発明を信号処理機器、信号伝送機器及び信号記録再生機器等に適用できることは勿論である。
【００４１】
また上述実施例では手動による増幅率の設定操作を検出するのに設定値が変化しているかどうかにより行ったが、この代わりに手動ボリュームの人体接触を検出したり、リモートコントロール等の通信動作の検出等により、この手動操作の検出を行うようにしても良い。
【００４２】
また上述実施例においては、出力信号のレベルが最大許容信号レベル以上かどうかを検出及び利得制御増幅装置３１の利得の減少を１標本時間毎に行うようにしたが、夫々必要に応じこれ以外の時間毎であっても良いことは勿論である。
【００４３】
また、上述実施例においては、利得制御増幅装置３１の増幅率の減少の割合を音響信号の場合急激な変化による波形歪み雑音を防止するため０．１ｄｂとしたが、これ以下でも良く、またその他の信号の場合、必要に応じてこの減少の割合を決定すれば良い。
【００４４】
また、本発明は上述実施例に限ることなく本発明の要旨を逸脱することなくその他種々の構成が採り得ることは勿論である。
【００４５】
【発明の効果】
本発明によれば手動で増幅率の設定操作を行っているときには、増幅率可変機能ブロック２の増幅率設定信号入力端子に手動による増幅率設定信号のみを供給し、自動利得制御フィードバック機能ブロック４よりの自動増幅率制御信号を供給しない如くしているので、この自動利得制御フィードバック機能ブロック４に関係なく良好に、この手動による増幅率設定を行うことができる利益がある。
【００４６】
また本発明によれば手動により設定した増幅率設定信号をそのまま自動利得制御フィードバック機能ブロック４の目標値（基準値）として使用するので、手動により設定した増幅率の値を自動利得制御の目標値（基準値）に反映することができる利益がある。
【００４７】
また、本発明によれば、良好なより高いレベルの出力信号を得ることができる利益がある。
【図面の簡単な説明】
【図１】本発明信号レベル制御装置の一実施例を示す構成図である。
【図２】手動増幅率設定操作検出器の例を示す構成図である。
【図３】図２の説明に供する線図である。
【図４】図２の説明に供する線図である。
【図５】本発明信号レベル制御装置の他の実施例を示す構成図である。
【図６】図５の説明に供する線図である。
【図７】図５の説明に供する線図である。
【図８】最大許容信号レベル検出器の説明に供する線図である。
【図９】最大許容信号レベル検出器の説明に供する線図である。
【図１０】本発明の説明に供する線図である。
【符号の説明】
１，３０  デジタル音声信号入力端子、２  増幅率可変機能ブロック、３，３２  デジタル記録機構、４  自動利得制御フィードバック機能ブロック、５  セレクター、６  手動増幅率設定信号入力端子、７  手動増幅率設定操作検出器、３１  利得制御増幅装置、３３  最大許容信号レベル検出器
【図１】
0003757494.tif 000002
【図２】
0003757494.tif 000003
【図３】
0003757494.tif 000004
【図４】
0003757494.tif 000005
【図５】
0003757494.tif 000006
【図６】
0003757494.tif 000007
【図７】
0003757494.tif 000008
【図８】
0003757494.tif 000009
【図９】
0003757494.tif 000010
【図１０】
0003757494.tif 000011